(57)【要約】      （修正有）【課題】安定した状態で足をホールドできるようにした中敷を提供する。【解決手段】靴底に配する中敷きであって、靴底の上側面上に位置決め固定する中敷き本体１と、踵部の内側面に位置決め固定する踵保持体３とを備える。踵保持体３は、靴内における踵部の両脇面に位置する脇部分４と、この脇部分４の相互間で背面に位置される背部分５とから成る。背部分５が靴における踵部の内側面に沿って湾曲状に折り曲げることで、脇部分４は左右で相対峙状となって踵部の両脇面に固定されるようにして成る。踵保持体３は、背部分５に、中敷き本体１の踵部位に重ね合わせて固着する踵部片６を連設し、踵部片６には、足裏の脇部位を支持する先細状の脇支持片７を突出状に設け、またクッションベース１０によってこれらを重ね合わせて中敷き本体１と一体状に構成する。【選択図】図１
0003224468.tif 000002
【実用新案登録請求の範囲】
【請求項１】
靴底に配される中敷きであって、靴底の上側面上に位置決め固定される中敷き本体と、踵部の内側面に位置決め固定される踵保持体とを備え、踵保持体は、靴内における踵部の両脇面に位置される脇部分と、この脇部分の相互間で背面に位置される背部分とから成り、背部分が靴における踵部の内側面に沿って湾曲状に折り曲げられていることで、脇部分は左右で相対峙状となって踵部の両脇面に固定されるようにして成ることを特徴とする中敷き。
【請求項２】
踵保持体は、背部分に、足踵を支持して中敷き本体の踵部位に重ね合わせて固着される踵部片を連設してある請求項１に記載の中敷き。
【請求項３】
踵部片には、足裏の脇部位を支持して中敷き本体に重ね合わせて固着される先細状を呈する脇支持片を突出状に設けてある請求項２に記載の中敷き。
【請求項４】
踵部片、脇支持片は中敷き本体の裏面に配されて中敷き本体に固着され、中敷き本体の裏面には、踵部片、脇支持片を挟み込んでクッションベースが配装固着されている請求項３に記載の中敷き。
【考案の詳細な説明】
【技術分野】
【０００１】
この考案は、主として婦人靴において、履用時の足裏、踵部分に対する緩衝性を向上させ、また足にしっくりと馴染み、長時間にわたって履用しても緩むことなく、安定した状態で足をホールドできるようにした中敷きに関する。
【背景技術】
【０００２】
従来から、婦人靴は、一般的には例えば靴底上に甲部分を載せ、これら相互間で縫い合わせることで製造されており、靴底は例えばアーチ状に湾曲形成した靴底材に中敷きを固定することで構成し、甲部分は必要に応じ適宜に装飾している。このような婦人靴は、その購入に際しては実際に履いてみて、足としっくりと馴染む大きさのものが選択されている。
【０００３】
購入後のしばらくの間で足にしっくりと馴染んでしまうと、例えば素材として皮革等である場合には若干でも伸びる傾向があり、革素材が伸びてしまうと足の大きさに比しやや大きく緩くなって、場合によっては履用中に脱げてしまうことがある。これを解消すべく、特許文献１に示される踵のある婦人靴の踵アタッチメントが提案されている。この踵アタッチメントは、靴の後縁部内側面の後縁部位、両側縁部位それぞれに接着されるようにした適宜肉厚の略Ｖ字状に形成されていて、接着固定されることで足と靴自体の後縁部との間の隙間がなくなることで足に適合するように矯正できるとしている。
【０００４】
また、靴内部には、足裏全体の緩衝性を図る等のために中敷きが配装されており、中敷き自体は、緩衝性あるように適度の軟弾性を有する素材によって形成され、履用時の靴に対する足裏の保護のみならず、履用開始時の足全体と靴自体との適度なフィット感の調整を図れるようにしている。
【先行技術文献】
【特許文献】
【０００５】
【特許文献１】登録実用新案第３１８５２９２号公報
【考案の概要】
【考案が解決しようとする課題】
【０００６】
ところが、上述した特許文献１の踵アタッチメントによると、ある程度の履用期間の経過後で緩みが生じた場合に、靴の踵部分の内側面に固定するよう後付けの別部材として用意されるも、踵部分の内側面の所定位置に固定されていなければ隙間を確実に埋め合わせることはできない。しかも、一旦固定したとしても、長期間の履用によっては剥離したり、ずれてしまったりすることもあった。
【０００７】
また、靴に内装される中敷き自体によっては、履用者に対する履用時の適度な緩衝性が得られるのは少ないものであった。
【０００８】
そこでこの考案は叙上のような従来存した諸事情に鑑み案出されたもので、踵部分における足踵との調整と共に足裏における靴の内底部との適度な緩衝性が得られるようにし、しかも中敷き本体と踵部調整用の踵保持体との一体化によって靴本体に対する組み込みも容易にした中敷きを提供することにある。
【課題を解決するための手段】
【０００９】
上述した課題を解決するため、この考案にあっては、靴底に配される中敷きであって、靴底の上側面上に位置決め固定される中敷き本体１と、踵部の内側面に位置決め固定される踵保持体３とを備え、踵保持体３は、靴内における踵部の両脇面に位置される脇部分４と、この脇部分４の相互間で背面に位置される背部分５とから成り、背部分５が靴における踵部の内側面に沿って湾曲状に折り曲げられていることで、脇部分４は左右で相対峙状となって踵部の両脇面に固定されるようにして成ることを特徴とする。
踵保持体３は、背部分５に、足踵を支持して中敷き本体1の踵部位に重ね合わせて固着される踵部片６を連設して構成することができる。
踵部片６には、足裏の脇部位を支持して中敷き本体1に重ね合わせて固着される先細状を呈する脇支持片７を突出状に設けて構成することができる。
踵部片６、脇支持片７は中敷き本体1の裏面に配されて中敷き本体１に固着され、中敷き本体1の裏面には、踵部片６、脇支持片７を挟み込んでクッションベース１０が配装固着されて構成することができる。
【００１０】
以上のように構成されたこの考案に係る中敷きにあって、靴底に配される中敷き本体１と、踵部の内側面に配される踵保持体３との一体化によって、靴底、踵部それぞれに一体的な緩衝性と調整機能とを与え、履用時では足、踵それぞれにしっくりと馴染ませる。
中敷き本体１は、クッションベース１０と共に靴底部分における緩衝性を良好にさせ、踵保持体３は、踵部分における背面、両脇面それぞれで足踵との間隙を調整させる。
踵保持体３の踵部片６は、中敷き本体１の踵部位に固着されることで中敷き本体１と踵保持体３とを一体させ、また脇支持片７が中敷き本体１の脇部位を肉厚にすることで、足が差し入れられときの足本体、足踵を位置ずれさせずにその中央位置に保持させる。
クッションベース１０は、踵保持体３の踵部片６さらに脇支持片７を挟み込んだ状態で中敷き本体１と一体化しており、靴本体に対する内装組み込みを容易にさせる。
【考案の効果】
【００１１】
この考案は以上説明したように構成されているため、中敷き本体１によって足裏における靴の内底部との適度な緩衝性が得られ、踵保持体３によって踵部分における足踵との間隙を調整でき、しかも中敷き本体１と踵保持体３との一体化によって靴本体に対する組み込み固定を容易にすることができる。
【００１２】
これはこの考案において、靴底に位置決め固定される中敷き本体１と、踵部の内側面に位置決め固定される踵保持体３とを備え、踵保持体３は、踵部の両脇面に位置される脇部分４と、背面に位置される背部分５とから成り、背部分５が靴における踵部の内側面に沿って湾曲状に折り曲げられて脇部分４は左右で相対峙状となって踵部の両脇面に固定されるようにして成るからである。これによって、足裏における緩衝性、足踵における間隙調整が得られ、足にしっくり馴染ませることができる。
【００１３】
また、踵保持体３に設けられている踵部片６は、この踵部片６によって中敷き本体１と一体化させ、また中敷き本体１の踵部位に重ね合わせて固着されることで、足踵部位における足踵をしっかりと支持できる。
【００１４】
踵部片６には、足裏の脇部位を支持して中敷き本体1に重ね合わせて固着される先細状を呈する脇支持片７を突出状に設けてあることで、足裏部位の脇部分を中央部分に比しやや肉厚にし、足裏に違和感を与えることなく履用時では足をしっかりとホールドし、歩行時の安定性を向上させる。
【００１５】
中敷き本体１の裏面には、踵保持体３の踵部片６さらに脇支持片７を挟み込んでクッションベース１０が配装固着されていることで、中敷き本体１、踵保持体３、クッションベース１０が一体状に構成されることになり、靴本体に内装組み込むに際し容易に作業でき、また履用時の足裏全体に対する緩衝性を向上させ、歩行時等の足の疲労を軽減できる利点もある。
【００１６】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１７】
【図１】この考案を実施するための一形態を示す分解斜視図である。
【図２】同じく靴に内装した使用状態の斜視図である。
【図３】同じく要部断面図である。
【考案を実施するための形態】
【００１８】
以下、図面を参照してこの考案を実施するための一形態を説明すると、図において示される符号１は中敷き本体であり、例えばパンプス等の婦人用の靴Ｓにおける足裏全体を支持する靴底部に内装されるように所定の肉厚で形成されている。また、この中敷き本体１の裏面には、履用時の足裏全体を支持し、緩衝する例えば所定肉厚のゴム製、スポンジ樹脂製等のクッションベース１０が一体状に固着されている。また図示のようにクッションベース１０の裏面における土踏まず部位に対応した部位に、土踏まずにおける高さ、内形にほぼ対応した高さ、外形となっている土踏まず部２が設けられることがある。
【００１９】
そして、この中敷き本体１には、中敷き本体１の後部、すなわち踵部位に、靴Ｓにおける踵部分を両脇面、背面の周囲からしっかりと押さえさせる踵保持体３が中敷き本体１と連結されて一体化されている。
【００２０】
踵保持体３は、靴Ｓ内における踵部の両脇面に位置される脇部分４と、この脇部分４の相互間で背面に位置される背部分５とを備え、中敷き本体１と一体化するための踵部片６、更には脇支持片７を設けて成り、中敷き本体１に対して起立状となる背部分５が靴における踵部の背部内側面に沿って湾曲状に折り曲げられていることで、脇部分４は左右で相対峙状となって踵部の両脇面に固定される。
【００２１】
図示の踵保持体３は、背部分５に踵部片６を連設してあり、この踵部片９は、足踵を支持して中敷き本体1の踵部位に重ね合わせて固着されるようになっている。また、この踵部片６に脇支持片７を突出状に設けてあり、この脇支持片７は、足裏の脇部位を支持して中敷き本体1に重ね合わせて固着されるようになっていて、幅員上で先細状を呈している。尚、これらの踵部片６、脇支持片７は、靴Ｓの左右に対応して内側部位、外側部位で幅員、長さを違えて形成されることもある。
【００２２】
尚、脇支持片７が中敷き本体１の脇の左右部分に重ね合わせられることで、中敷き本体１のほぼ中央部位の左右部分がやや肉厚となり、靴Ｓ内に足を入れたときの足裏のホールド性を向上させることができる。
【００２３】
次にこれの使用の一例を説明すると、例えばパンプス等の靴Ｓにおける靴底部、踵部、甲部等の製作に際し、中敷き本体１を靴底部上に、踵保持体３を踵部内側面にそれぞれ配し、足裏部位では中敷き本体１、クッションベース１０等を適宜に固定するのであり、必要に応じ中敷き本体１面、踵保持体３面にカバーが被装されることで婦人用のパンバス等が製作される。
【符号の説明】
【００２４】
Ｓ…靴
１…中敷き本体
２…土踏まず部
３…踵保持体
４…脇部分
５…背部分
６…踵部片
７…脇支持片
１０…クッションベース
【図１】
0003224468.tif 000003
【図２】
0003224468.tif 000004
【図３】
0003224468.tif 000005